(57)【特許請求の範囲】
【請求項１】
目板本体を含む目板材と、
前記目板本体を支持する基礎金具と、を備え、
前記目板材は、
建物の隣接する床パネル間に位置し、かつ、前記建物の間仕切り壁を支持するように構成された目板材であって、
前記間仕切り壁が載置されるように一方向に沿って長く形成された前記目板本体と、
前記目板本体に形成されたスリットと、
前記目板本体から突出する第一支持脚及び第二支持脚と、
前記目板本体の下方に配置される吸音材と、を備え、
平面視において、前記スリットは前記一方向に沿って延びた形状を有し、
前記第一支持脚は、前記目板本体のうち前記スリットを挟んだ一方の側の部分から、下方に突出し、
前記第二支持脚は、前記目板本体のうち前記スリットを挟んだ他方の側の部分から、下方に突出し、
前記第一支持脚と前記第二支持脚と前記基礎金具は、前記建物の基礎に支持され、
前記基礎金具を挟んだ両側のスペースに、前記第一支持脚と前記第二支持脚が位置し、
前記吸音材は、前記第一支持脚と前記基礎金具の間と、前記第二支持脚と前記基礎金具の間の、少なくとも一方のスペースに配置される
ことを特徴とする間仕切り壁の支持構造。
【発明の詳細な説明】
【技術分野】
【０００１】
本発明は、間仕切り壁の支持構造に関し、詳しくは、目板材を用いて遮音性の高い間仕切り壁の支持構造を実現するための技術に関する。
【背景技術】
【０００２】
特許文献１には、一対の床パネルを互いに突き合わせて並べ、前記一対の床パネル間を目板で繋ぎ、前記目板上に間仕切りパネルを立設した構造が記載されている。
【先行技術文献】
【特許文献】
【０００３】
【特許文献１】特開平８−１２８１３９号公報
【発明の概要】
【発明が解決しようとする課題】
【０００４】
上記した従来の構造では、目板を通じて音が伝播されることで、間仕切り壁で区画される室内間の遮音性が低下するという問題がある。
【０００５】
本発明は、遮音性を高めることのできる間仕切り壁の支持構造を提供することを、目的とする。
【課題を解決するための手段】
【０００６】
本発明に係る形態の間仕切り壁の支持構造は、下記の構成を具備する。
【０００７】
つまり、本発明に係る形態の間仕切り壁の支持構造は、目板本体を含む目板材と、前記目板本体を支持する基礎金具と、を備える。前記目板材は、建物の隣接する床パネル間に位置し、かつ、前記建物の間仕切り壁を支持するように構成された目板材であって、前記間仕切り壁が載置されるように一方向に沿って長く形成された前記目板本体と、前記目板本体に形成されたスリットと、前記目板本体から突出する第一支持脚及び第二支持脚と、前記目板本体の下方に配置される吸音材と、を備える。平面視において、前記スリットは前記一方向に沿って延びた形状を有する。前記第一支持脚は、前記目板本体のうち前記スリットを挟んだ一方の側の部分から、下方に突出する。前記第二支持脚は、前記目板本体のうち前記スリットを挟んだ他方の側の部分から、下方に突出する。前記第一支持脚と前記第二支持脚と前記基礎金具は、前記建物の基礎に支持される。前記基礎金具を挟んだ両側のスペースに、前記第一支持脚と前記第二支持脚が位置する。前記吸音材は、前記第一支持脚と前記基礎金具の間と、前記第二支持脚と前記基礎金具の間の、少なくとも一方のスペースに配置される。
【発明の効果】
【００１３】
本発明は、遮音性を高めることのできる間仕切り壁の支持構造を提供することができるという効果を奏する。
【図面の簡単な説明】
【００１４】
【図１】一実施形態の目板材を用いて形成された間仕切り壁を示す正面図である。
【図２】図１のＩ−Ｉ線断面図である。
【図３】図２のＩＩ−ＩＩ線断面図である。
【図４】図４Ａは一実施形態の目板材を示す平面図であり、図４Ｂは一実施形態の目板材を示す正面図であり、図４Ｃは図４ＡのＩＩＩ−ＩＩＩ線断面図である。
【図５】一実施形態の目板材を基礎に固定する構造を示す分解斜視図である。
【発明を実施するための形態】
【００１５】
一実施形態の目板材６と、この目板材６を用いて構成された間仕切り壁Ｗの構造について、以下に説明する。
【００１６】
図１〜図３には、一実施形態の間仕切り壁Ｗを示している。間仕切り壁Ｗは、建物９の内部空間を仕切る壁である。
【００１７】
本実施形態において、建物９は、複数の住戸９２が水平方向に隣接する集合住宅である。間仕切り壁Ｗは、水平方向に隣接する住戸９２間を仕切る界壁である。
【００１８】
図２等に示すように、間仕切り壁Ｗは、複数（本実施形態では三つ）の第一パネル１０を一方向Ｄ１に並べて形成された第一壁ブロック１と、複数（本実施形態では二つ）の第二パネル２０を一方向Ｄ１に並べて形成された第二壁ブロック２とを備える。
【００１９】
第一壁ブロック１と第二壁ブロック２とは、互いに裏表の位置にある。第一壁ブロック１と第二壁ブロック２が、互いの厚み方向に重ね合わさることで、間仕切り壁Ｗの主要部分が構成される。
【００２０】
本文中では、第一壁ブロック１が組み立てられる側を、間仕切り壁Ｗの「表側」と称し、第二壁ブロック２が組み立てられる側を、間仕切り壁Ｗの「裏側」と称して説明する。
【００２１】
間仕切り壁Ｗは、表側半部と裏側半部に区分される。言い換えれば、第一壁ブロック１で主要部が構成される表側半部と、第二壁ブロック２で主要部が構成される裏側半部とが組み合わさることで、間仕切り壁Ｗが形成される。
【００２２】
間仕切り壁Ｗの表側半部は、第一壁ブロック１（つまり一方向Ｄ１に並んだ三つの第一パネル１０）と、これの外壁９１側に隣接するスタートパネル３０とを含む。
【００２３】
スタートパネル３０は、スタッド３１と吸音材３２があらかじめ一体に組み込まれたパネルであり、工場等で製造された後に、施工現場に搬送される。
【００２４】
第一壁ブロック１を形成するために用いられる複数の第一パネル１０は、それぞれスタッド１１と吸音材１２があらかじめ一体に組み込まれたパネルであり、工場等で製造された後に、施工現場に搬送される。
【００２５】
第二壁ブロック２を形成するために用いられる複数の第二パネル２０は、それぞれスタッド２１と吸音材２２があらかじめ一体に組み込まれたパネルであり、工場等で製造された後に、施工現場に搬送される。
【００２６】
これらスタッド３１，１１，２１は、いずれも上下方向に一直線状に伸びる断面十字状の形状を有する。吸音材３２，１２，２２は、いずれもロックウール等で構成される。
【００２７】
これらスタートパネル３０、第一パネル１０及び第二パネル２０を用いて、施工現場で間仕切り壁Ｗを形成するにあたって、図５に示すように、建物９の基礎９０２（布基礎）上に、複数の基礎金具５を一方向Ｄ１に距離をあけて固定し、これら複数の基礎金具５上に、目板材６を固定する。基礎金具５は、単数であってもよい。
【００２８】
目板材６は、基礎９０２を挟んで位置する床パネル９３間の隙間を埋めるように、基礎９０２上に支持される（図３参照）。
【００２９】
図３、図４Ａ−図４Ｃ、図５に示すように、目板材６は、間仕切り壁Ｗが載置されるように一方向Ｄ１に沿って長く形成された長板状の目板本体６１と、目板本体６１から下方に突出する複数の支持脚６２とを有する。
【００３０】
目板材６には、目板本体６１の幅方向（一方向Ｄ１及び上下方向と直交する方向）の中央に、スリット６４が形成されている。平面視において、スリット６４は、一方向Ｄ１に沿って一直線状に延びた形状を有する。目板本体６１は、幅方向の中央に位置するスリット６４を挟んで、一方の側の部分６１１と、他方の側の部分６１２とに区分される。
【００３１】
なお、スリット６４は、一方向Ｄ１に沿って延びた形状であればよく、厳密に一直線状であることは求められない。スリット６４は複数であってもよい。また、本実施形態のスリット６４は上下に貫通しているが、貫通することは必須でなく、たとえば目板本体６１の上面から凹んだ有底溝状であってもよい。
【００３２】
複数の支持脚６２は、複数の第一支持脚６２１と、複数の第二支持脚６２２とで構成される。複数の第一支持脚６２１が設けられる箇所と、複数の第二支持脚６２２が設けられる箇所とは、目板本体６１の幅方向に互いに距離をあけて位置する。
【００３３】
具体的には、複数の第一支持脚６２１は、目板本体６１の幅方向の半部を構成する部分６１１から、下方に突出する。複数の第一支持脚６２１は、一方向Ｄ１に沿って互いに距離をあけながら、一列に位置する。
【００３４】
複数の第二支持脚６２２は、目板本体６１の幅方向の他の半部を構成する部分６１２から、下方に突出する。複数の第二支持脚６２２は、一方向Ｄ１に沿って互いに距離をあけながら、一列に位置する。
【００３５】
本実施形態では、第一支持脚６２１と第二支持脚６２２の個数は共に五つであるが、これに限定されない。たとえば、第一支持脚６２１と第二支持脚６２２の個数が共に一つであることも有り得る。
【００３６】
目板本体６１にスリット６４が形成されることで、目板本体６１を通じて音が伝播されることが抑えられる。また、スリット６４が目板本体６１の上面に開口することを利用し、スリット６４を、目板本体６１の表側の部分６１１と裏側の部分６１２を区切る目安として、施工時に用いることもできる。
【００３７】
目板材６の目板本体６１が基礎金具５上に固定された状態において、目板材６の第一支持脚６２１と第二支持脚６２２のそれぞれの下端は、基礎９０２に当接する。
【００３８】
目板材６には、第一支持脚６２１の内面に当接または近接するように、ロックウール等の吸音材６３が取り付けられる。
【００３９】
目板材６が基礎９０２上に固定された状態においては、複数の第一支持脚６２１と複数の第二支持脚６２２との間に、複数の基礎金具５が位置する。複数の第一支持脚６２１と複数の基礎金具５との間のスペースに、吸音材６３が位置する。
【００４０】
なお、吸音材６３を、複数の第二支持脚６２２と複数の基礎金具５との間のスペースに配置することも可能である。また、複数の第一支持脚６２１と複数の基礎金具５との間のスペースと、複数の第二支持脚６２２と複数の基礎金具５との間のスペースに、それぞれ吸音材６３を配置することも可能である。
【００４１】
以上のようにして目板材６を基礎９０２上に固定した後に、スタートパネル３０を、目板材６のうち最も外壁９１側の箇所に固定する（図１、図２等参照）。
【００４２】
具体的には、ビス等の固着具を用いて、目板本体６１の半部を構成する部分６１１の上面に、スタートパネル３０の下端部を固定する。スタートパネル３０の上端部は、建物９の梁下構造に対して固定する。
【００４３】
次いで、複数の第一パネル１０を、一方向Ｄ１に沿って段々と外壁９１から離れる方向に向かって、順に設置していく。
【００４４】
第一パネル１０を設置する構造は、スタートパネル３０を設置する構造と同様であり、第一パネル１０の下端部を、目板本体６１の半部を構成する部分６１１の上面に固定するとともに、第一パネル１０の上端部を、建物９の梁下構造に固定する。
【００４５】
複数の第一パネル１０を一列に設置して第一壁ブロック１を形成した後は、現場で位置を合わせながら単独のスタッド１７を設置する等して、間仕切り壁Ｗの表側半部の残りの部分を、形成する。
【００４６】
このように形成された間仕切り壁Ｗの表側半部には、さらに石膏ボード等で上貼りが施される。
【００４７】
次いで、間仕切り壁Ｗの裏側半部を、順に形成する。ここで施工を順に行う方向は、表側で施工を行う方向とは逆方向（外壁９１に近づく方向）である。
【００４８】
まずは、現場で位置を合わせながら単独のスタッド２７を設置し、さらに吸音材２８を配置する等して、間仕切り壁Ｗの裏側のスタート部分を形成する。
【００４９】
次いで、一方向Ｄ１に沿って段々と外壁９１に近づく方向に、複数の第二パネル２０を順に設置していく。このとき、第二パネル２０に含まれる各スタッド２１が、一列に並んだ複数のスタッド１１に対して千鳥状に位置するように、位置を合わせながら第二パネル２０を配置していく。
【００５０】
第二パネル２０を設置する構造は、第一パネル１０を設置する構造と同様である。つまり、第二パネル２０の下端部を、目板本体６１の他の半部を構成する部分６１２の上面に固定し、第二パネル２０の上端部を、建物９の梁下構造に固定する。
【００５１】
複数の第二パネル２０を一列に設置して第二壁ブロック２を形成した後は、現場で位置を合わせながら単独のスタッド２７や吸音材２８を設置する等して、間仕切り壁Ｗの裏側半部の残りの部分を形成する。ここでのスタッド２７は、スタートパネル３０を設置する際に、あわせて設置しておくことも可能である。
【００５２】
このように施工することで、間仕切り壁Ｗとこれを支持する構造が、ともに高い遮音性でかつ施工の際に大きな負担を伴うことなく形成される。
【００５３】
以上、添付図面に基づいて詳述したように、本実施形態の目板材６は、建物９の隣接する床パネル９３間に位置し、かつ、建物９の間仕切り壁Ｗを支持するように構成されている。本実施形態の目板材６は、間仕切り壁Ｗが載置されるように一方向Ｄ１に沿って長く形成された目板本体６１と、目板本体６１に形成されたスリット６４とを備える。平面視において、スリット６４は一方向Ｄ１に沿って延びた形状を有する。
【００５４】
したがって、本実施形態の目板材６によれば、目板本体６１を介して音が伝播されることを、スリット６４によって抑制することができ、遮音性が向上する。
【００５５】
また、本実施形態の目板材６は、目板本体６１から突出する第一支持脚６２１と第二支持脚６２２を、さらに備える。第一支持脚６２１は、目板本体６１のうちスリット６４を挟んだ一方の側の部分６１１から、下方に突出する。第二支持脚６２２は、目板本体６１のうちスリット６４を挟んだ他方の側の部分６１２から、下方に突出する。
【００５６】
したがって、本実施形態の目板材６によれば、目板本体６１が基礎金具５を介して基礎９０２上に支持されることに加えて、目板本体６１から突出する第一支持脚６２１と第二支持脚６２２が基礎９０２上に支持されるため、遮音性の高い構造で間仕切り壁Ｗを強固に支持することが可能となる。
【００５７】
また、本実施形態の間仕切り壁Ｗの支持構造は、前記した目板材６と、目板本体６１を支持する基礎金具５とを備える。第一支持脚６２１と第二支持脚６２２と基礎金具５は、建物９の基礎９０２に支持される。基礎金具５を挟んだ両側のスペースに、第一支持脚６２１と第二支持脚６２２が位置する。
【００５８】
したがって、本実施形態の間仕切り壁Ｗの支持構造によれば、目板本体６１が基礎金具５を介して基礎９０２上に支持されることに加えて、目板本体６１から突出する第一支持脚６２１と第二支持脚６２２が基礎９０２上に支持されるため、遮音性の高い構造で間仕切り壁Ｗを強固に支持することが可能となる。
【００５９】
また、本実施形態の間仕切り壁Ｗの支持構造は、目板本体６１の下方に配置される吸音材６３を、さらに備える。吸音材６３は、第一支持脚６２１と基礎金具５の間と、第二支持脚６２２と基礎金具５の間の、少なくとも一方のスペースに配置される。
【００６０】
したがって、本実施形態の間仕切り壁Ｗの支持構造によれば、吸音材６３によって遮音性をさらに高めることができる。
【００６１】
以上、間仕切り壁の構造及び施工方法について説明したが、間仕切り壁の構造及び施工方法は前記した一実施形態に限定されず、適宜の設計変更を行うことが可能である。
【符号の説明】
【００６２】
１０    第一パネル
２０    第二パネル
５      基礎金具
６      目板材
６１    目板本体
６１１  部分
６１２  部分
６２    支持脚
６３    吸音材
６４    スリット
９      建物
９０２  基礎
９１    外壁
９３    床パネル
Ｄ１    一方向
Ｗ      間仕切り壁
【図１】
0006577782.tif 000002
【図２】
0006577782.tif 000003
【図３】
0006577782.tif 000004
【図４】
0006577782.tif 000005
【図５】
0006577782.tif 000006